(57)【特許請求の範囲】
【請求項１】
ＭＰＥＧシステムを使用して番組配列情報を有する地上ディジタル放送波を受信し、地上ディジタル放送伝送チャンネルをＣＡＴＶで放送するＣＡＴＶ伝送チャンネルに変換して伝送路に出力するＣＡＴＶ送信局と、
上記伝送路に伝送される上記ＣＡＴＶ伝送チャンネルを受信して所定の地上ディジタル放送波に対応する上記ＣＡＴＶ伝送チャンネルを選局する時に上記地上ディジタル放送伝送チャンネルの情報とＣＡＴＶ伝送チャンネルの情報とが対応付けられた変換テーブルを参照して選局し、番組配列情報を復号するＣＡＴＶ受信機とを備え、
上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備え、
上記ＣＡＴＶ受信機は、上記変換テーブルを保持するメモリと、上記メモリに上記変換テーブルを保持させる制御部と、チューナと、上記チューナで選局された周波数情報からＭＰＥＧのトランスポートストリームに復号する伝送路復号器と、上記制御部の指示により上記ＭＰＥＧのトランスポートストリームから番組配列情報を上記制御部に出力するＭＰＥＧ分離器と、上記ＭＰＥＧのトランスポートストリームから映像信号と音声信号を復号するＭＰＥＧ復号器とを備え、
上記制御部による上記変換テーブルの上記メモリへの保持は、上記ＣＡＴＶ受信機のリモコンおよび上記ＣＡＴＶ受信機自体のスイッチの少なくとも一方を使用して行なわれ、
上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、
上記制御部は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させる、
ことを特徴とするＣＡＴＶシステム。
【請求項２】
上記ＣＡＴＶ送信局は、受信された地上ディジタル放送伝送チャンネルを入力するチューナと、上記チューナに入力された地上ディジタル放送伝送チャンネルの複数の番組情報から１つの番組情報を抽出するＭＰＥＧデマルチプレクサと、上記ＭＰＥＧデマルチプレクサから出力された１つの番組情報とＰＳＩ発生器から出力されるＰＳＩ信号と多重化するＭＰＥＧマルチプレクサと、上記ＭＰＥＧマルチプレクサの出力を変調して上記伝送路に出力する変調器と、
を備えることを特徴とする請求項１記載のＣＡＴＶシステム。
【請求項３】
上記ＣＡＴＶ送信局は、地上ディジタル放送伝送チャンネルの放送信号を入力して地上ディジタル放送伝送チャンネルのキャリア周波数のみをＣＳディジタルＵＨＦ帯の周波数の空きチャンネルの周波数に変換する周波数コンバータで構成されることを特徴とする請求項１記載のＣＡＴＶシステム。
【請求項４】
ＭＰＥＧシステムを使用して番組配列情報を有する地上ディジタル放送波を受信して上記地上ディジタル放送伝送チャンネルをＣＡＴＶで放送するＣＡＴＶ伝送チャンネルに変換して伝送路に出力するＣＡＴＶ送信局と、
上記伝送路に伝送される上記ＣＡＴＶ伝送チャンネルを受信して所定の地上ディジタル放送伝送チャンネルに対応する上記ＣＡＴＶ伝送チャンネルを選局する時に上記地上ディジタル放送伝送チャンネルの情報とＣＡＴＶ伝送チャンネルの情報とが対応付けられた変換テーブルを参照して選局し、番組配列情報を復号するＣＡＴＶ受信機とを備え、
上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備え、
上記ＣＡＴＶ受信機は、上記変換テーブルを保持するメモリと、上記メモリに上記変換テーブルを保持させる制御部と、チューナと、上記チューナで選局された周波数情報からＭＰＥＧのトランスポートストリームに復号する伝送路復号器と、上記制御部の指示により上記ＭＰＥＧのトランスポートストリームから番組配列情報を上記制御部に出力するＭＰＥＧ分離器と、上記ＭＰＥＧのトランスポートストリームから映像信号と音声信号を復号するＭＰＥＧ復号器とを備え、
上記制御部による上記変換テーブルの上記メモリへの保持は、上記ＣＡＴＶ受信機のリモコンおよび上記ＣＡＴＶ受信機自体のスイッチの少なくとも一方を使用して行なわれ、
上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、
上記制御部は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させる、
ことを特徴とするＣＡＴＶ地上ディジタル送受信装置。
【請求項５】
上記ＣＡＴＶ送信局は、受信された地上放送波チャンネルを入力するチューナと、上記チューナに入力された地上放送チャンネルの複数の番組情報から１つの番組情報を抽出するＭＰＥＧデマルチプレクサと、上記ＭＰＥＧデマルチプレクサから出力された１つの番組情報とＰＳＩ発生器から出力されるＰＳＩ信号と多重化するＭＰＥＧマルチプレクサと、上記ＭＰＥＧマルチプレクサの出力を変調して上記伝送路に出力する変調器と、
を備えることを特徴とする請求項４記載のＣＡＴＶ地上ディジタル送受信装置。
【請求項６】
上記ＣＡＴＶ送信局は、地上ディジタル放送伝送チャンネルの放送信号を入力して地上放送波チャンネルのキャリア周波数のみをＣＳディジタルＵＨＦ帯の周波数の空きチャンネルの周波数に変換する周波数コンバータで構成されることを特徴とする請求項４記載のＣＡＴＶ地上ディジタル送受信装置。
【請求項７】
ＭＰＥＧシステムを使用して番組配列情報を有する地上ディジタル放送伝送チャンネルをＣＡＴＶ送信局により変換されて伝送路経由で送信されるＣＡＴＶ伝送チャンネルを受信するチューナと、
所定の地上ディジタル放送伝送チャンネルに対応する上記ＣＡＴＶ伝送チャンネルの選局時に上記地上ディジタル放送伝送チャンネルの情報とＣＡＴＶ伝送チャンネルの情報とが対応付けられた変換テーブルを参照して上記チューナに選局させる制御部と、
上記変換テーブルを保持するメモリと、
上記チューナで選局された周波数情報からＭＰＥＧのトランスポートストリームに復号する伝送路復号器と、
上記制御部の指示により上記ＭＰＥＧのトランスポートストリームから番組配列情報を上記制御部に出力するＭＰＥＧ分離器と、
上記ＭＰＥＧのトランスポートストリームから映像信号と音声信号を復号するＭＰＥＧ復号器とを備え、
上記制御部は、上記ＣＡＴＶ受信機のリモコンおよび上記ＣＡＴＶ受信機自体のスイッチの少なくとも一方を使用して上記変換テーブルの上記メモリへの保持を行ない、
上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、
上記制御部による上記チューナの選局は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させることによってなされ、
上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備える、
ことを特徴とするケーブルテレビ受像機。
【請求項８】
上記制御部は、上記選局時にＭＰＥＧ分離器に指示してトランスポートストリームに含まれる番組配列情報を取得し、この番組配列情報を基に上記チューナの出力を伝送路復号器で復号されたトランスポートストリームから選択すべき番組の受信中の有無を判断することを特徴とする請求項７記載のケーブルテレビ受像機。
【発明の詳細な説明】
【０００１】
【発明の属する技術分野】
この発明は、ケーブルテレビ（以降、ＣＡＴＶと呼ぶ）でＵＨＦ放送用を周波数変換して再送信する場合において、地上波ディジタル放送波の番組情報に含まれる周波数情報を、送信局側で変換することなく、家庭内に設置されるディジタルテレビ受信機などの受信機側のみで変換し、番組の選択を行えるようにしたＣＡＴＶ放送システムに関する。
【０００２】
【従来の技術】
地上放送、衛星放送、通信衛星などの限られたチャンネル数の有効利用を図るために、従来のアナログ放送の１チャネルで１番組サービスに対して、ディジタル画像圧縮技術と、ディジタル変調技術を用いて、アナログ伝送帯域の１チャンネルで複数の番組のサービス化を行うに至っている。
これに伴い、地上ディジタル放送局で送信されたディジタル放送信号をＣＡＴＶ送信局で受信して、ＣＡＴＶ送信局側から光ケーブルなどの伝送路を通してＣＡＴＶ受信側に再送信して、ＣＡＴＶ受信側で多チャンネルで受信可能とすることが行われている。
【０００３】
この場合、地上放送波は、ディジタル放送波が使用され、このディジタル放送波はＭＰＥＧ（Moving  Pictures  Experts  Group）システムを用いてディジタル放送信号の圧縮と符号化を行うとともに、多重化を行ってディジタル放送信号を送信し、ＣＡＴＶ送信局の受信アンテナでディジタル放送信号を受信する。
受信したディジタル放送信号を分配または分岐して、周波数変換後に地上ディジタル放送の伝送チャンネルをＣＡＴＶで放送する伝送チャンネルに変換して伝送路経由でＣＡＴＶ受像機に送信するようにしている。
【０００４】
ところが、日本の地上ディジタル放送局は、ＵＨＦ帯を使用するため、ＣＡＴＶ送信局で地上ディジタル放送信号を受信してこのＣＡＴＶ送信局側からＣＡＴＶ受像機に対して地上ディジタル放送を再送信するには、４５０ＭＨｚ以上の伝送路をもつ一部の事業者を除いて、大部分の事業者はそのままの周波数では再送信できない。
このため、ＣＡＴＶ送信局側での地上ディジタル放送の再送信は受信チャンネルの周波数をより低い周波数に変換して送る必要がある。
【０００５】
ところで、ディジタル放送では上述のように、ＭＰＥＧシステムを使用している。このＭＰＥＧシステムにおいては、ＭＰＥＧトランスポートストリームに書かれている番組とその番組の構成を表すテーブル情報が複数含まれており、互いに関連を持って上記番組配列情報（ＰＳＩ：Program  Specific  Information／ＳＩ：Service  Information）を構成している。
【０００６】
ＰＳＩはＭＰＥＧ−ＴＳ（Transport  Stream  Packet:１８８バイトの固定長パケットのデータ列であり、誤りの発生する環境における伝送、蓄積に使用され、Transport  Stream  Packetに関しては「ＩＳＯ／ＩＥＣ１３８１８−１」に規定されている。）に含まれている番組とその番組の構成を表すテーブル情報であり、ＰＡＴ（Program  Association  Table）、ＣＡＴ（Conditional  Access  Table）、ＰＭＴ（Program  Map  Table）、ＮＩＴ（Network  Information  Table）の４種類のテーブルが規定されている。
【０００７】
この４種類のテーブルのうち、ＰＡＴは、放送番組に関するＰＭＴやＮＩＴを伝送するトランスポート・ストリーム・パケットのパケット識別子を指定する。ＣＡＴは、有料情報のＣＡ方式と、関連情報を伝送するトランスポート・ストリーム・パケットのパケット識別子を指定する。
ＰＭＴは、放送番組を構成する各符号化信号を伝送するトランスポート・ストリーム・パケットのパケット識別子を指定する。
ＮＩＴは、変調周波数などの伝送路情報と、放送番組を関連付ける情報を伝送する。
【０００８】
また、上記ＳＩは、ディジタルＣＡＴＶのＳＴＢにおいて、番組選択を容易にする点で必要な情報であり、ＰＳＩ、ＥＰＧ（Electronic  Progam  Guide:ディジタル多チャンネル放送において、データサービスとして番組表や個々の番組内容に関する情報を提供するサービスであり、ディジタル放送特有のチャンネル選択システムである。）、ＣＡ（Conditional  Access）を総称している。
【０００９】
【発明が解決しようとする課題】
このＭＰＥＧシステムでは、送信データに含まれる番組配列情報に記述された周波数情報を使用して番組の選択を行うようになっており、単に周波数変換のみ行っただけでは、ＣＡＴＶでは正常に番組の選択ができないという課題があった。
この、番組配列情報をＣＡＴＶ送信局側で置きかえる方法もあるが、そのためには機器構成が複雑になり、コストアップにつながるという課題もあった。
もし、ＣＡＴＶ送信局側で番組配列情報を変更するとすれば、ＭＰＥＧのトランスポートストリームに復号した後でなければ操作できないため、ＣＡＴＶ送信局で受信信号をＲＦ信号からベースバンド信号に復調した後、伝送路復号を行い、番組配列情報の変更を行った後、再び伝送路符号化、変調を施して伝送路に出力するという操作が必要になり、ＣＡＴＶ送信局側の機器構成が複雑になり、コストアップ要因となる。
【００１０】
この発明は、上記従来の課題を解決するためになされたもので、地上ディジタル放送波をＣＡＴＶにより再送信する場合に、ＣＡＴＶ送信局側で番組配列情報（ＮＩＴ）に含まれる番組選択のための周波数情報を変更する必要をなくして、ＣＡＴＶ受像機側でのみ変更するようにして、送信局での機器構成が簡単にでき、かつ、ＣＡＴＶ受像機側での回路の増加がなく、処理ソフトウェアの増加も極わずかで済み、システムにおけるコストインパクトがほとんど無いＣＡＴＶシステムを提供することを目的とする。
【００１３】
さらに、この発明は、地上ディジタル放送波のＣＡＴＶによる再送信時に番組配列情報（ＮＩＴ）に含まれる番組選択のための周波数情報を変更する必要がなく、送信側でのコストダウンを可能にするＣＡＴＶ地上ディジタル送信波送受信装置を提供することを目的とする。
【００１４】
加えて、この発明は、ＣＡＴＶ受信機側において、回路構成の変更と処理ソフトウェアの変更が少なく、低コストで地上ディジタル放送波を多数の受像機で受信可能なケーブルテレビ受像機を提供することを目的とする。
【００１５】
【課題を解決するための手段】
上記目的を達成するために、この発明のＣＡＴＶシステムは、ＭＰＥＧシステムを使用して番組配列情報を有する地上ディジタル放送波を受信し、地上ディジタル放送伝送チャンネルをＣＡＴＶで放送するＣＡＴＶ伝送チャンネルに変換して伝送路に出力するＣＡＴＶ送信局と、上記伝送路に伝送される上記ＣＡＴＶ伝送チャンネルを受信して所定の地上ディジタル放送波に対応する上記ＣＡＴＶ伝送チャンネルを選局する時に上記地上ディジタル放送伝送チャンネルの情報とＣＡＴＶ伝送チャンネルの情報とが対応付けられた変換テーブルを参照して選局し、番組配列情報を復号するＣＡＴＶ受信機とを備え、上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備え、上記ＣＡＴＶ受信機は、上記変換テーブルを保持するメモリと、上記メモリに上記変換テーブルを保持させる制御部と、チューナと、上記チューナで選局された周波数情報からＭＰＥＧのトランスポートストリームに復号する伝送路復号器と、上記制御部の指示により上記ＭＰＥＧのトランスポートストリームから番組配列情報を上記制御部に出力するＭＰＥＧ分離器と、上記ＭＰＥＧのトランスポートストリームから映像信号と音声信号を復号するＭＰＥＧ復号器とを備え、上記制御部による上記変換テーブルの上記メモリへの保持は、上記ＣＡＴＶ受信機のリモコンおよび上記ＣＡＴＶ受信機自体のスイッチの少なくとも一方を使用して行なわれ、上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、上記制御部は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させることを特徴とする。
【００１６】
そのため、ＣＡＴＶ送信局では、地上ディジタル放送波を受信して地上ディジタル放送伝送チャンネルをＣＡＴＶで放送するＣＡＴＶチャンネルに変換して伝送路に送信すると、ＣＡＴＶチャンネルがＣＡＴＶ受信機に入力され、所定の地上ディジタル放送伝送チャンネルに対応するＣＡＴＶチャンネルの番組の選局時に、地上ディジタル放送伝送チャンネルの情報に対応するＣＡＴＶ伝送チャンネルの情報に変換したテーブルを参照して実際に選局すべきＣＡＴＶ伝送チャンネルの情報を取得し、選局されたＣＡＴＶ伝送チャンネルの情報より、番組配列情報を取得して復号するようにしたので、地上ディジタル放送波をＣＡＴＶにより再送信する場合に、ＣＡＴＶ送信局側で番組配列情報に含まれる番組選択のための周波数情報を変更する必要をなくして、ＣＡＴＶ受信機側でのみの変更で済ませることができ、送信側での機器構成が簡単にでき、かつ、ＣＡＴＶ受信機側での回路の増加がなく、処理ソフトウェアの増加も極わずかで済み、システムにおけるコストインパクトがほとんどなくすることができる。
【００２１】
さらに、この発明のＣＡＴＶ地上ディジタル送信波送受信装置は、ＭＰＥＧシステムを使用して番組配列情報を有する地上ディジタル放送波を受信して上記地上ディジタル放送伝送チャンネルをＣＡＴＶで放送するＣＡＴＶ伝送チャンネルに変換して伝送路に出力するＣＡＴＶ送信局と、上記伝送路に伝送される上記ＣＡＴＶ伝送チャンネルを受信して所定の地上ディジタル放送伝送チャンネルに対応する上記ＣＡＴＶ伝送チャンネルを選局する時に上記地上ディジタル放送伝送チャンネルの情報とＣＡＴＶ伝送チャンネルの情報とが対応付けられた変換テーブルを参照して選局し、番組配列情報を復号するＣＡＴＶ受信機とを備え、上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備え、上記ＣＡＴＶ受信機は、上記変換テーブルを保持するメモリと、上記メモリに上記変換テーブルを保持させる制御部と、チューナと、上記チューナで選局された周波数情報からＭＰＥＧのトランスポートストリームに復号する伝送路復号器と、上記制御部の指示により上記ＭＰＥＧのトランスポートストリームから番組配列情報を上記制御部に出力するＭＰＥＧ分離器と、上記ＭＰＥＧのトランスポートストリームから映像信号と音声信号を復号するＭＰＥＧ復号器とを備え、上記制御部による上記変換テーブルの上記メモリへの保持は、上記ＣＡＴＶ受信機のリモコンおよび上記ＣＡＴＶ受信機自体のスイッチの少なくとも一方を使用して行なわれ、上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、上記制御部は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させることを特徴とする。
【００２２】
そのため、ＣＡＴＶ送信局では、地上ディジタル放送波を受信して地上ディジタル放送伝送チャンネルの伝送チャンネルをＣＡＴＶで放送するＣＡＴＶ伝送チャンネルに変換して、伝送路に出力し、ＣＡＴＶ受信機では、伝送路を通して入力されるＣＡＴＶ伝送チャンネルを受信し、所定の地上ディジタル放送伝送チャンネルに対するＣＡＴＶ伝送チャンネルの選局時に、地上ディジタル放送伝送チャンネルの情報に対応するＣＡＴＶ伝送チャンネルの情報に変換したテーブルを参照して所定の地上ディジタル放送チャンネルに対応するＣＡＴＶチャンネルを選局し、その選局により得られた番組配列情報を復号するようにしたので、地上ディジタル放送波をＣＡＴＶ送信局により再送信時に番組配列情報に含まれる番組選択のための周数情報を変更する必要がなく、送信局側でのコストダウンを可能にし、ＣＡＴＶ受信機側では回路変更がなく、処理ソフトウェアも少なくすることができる。
【００２３】
加えて、この発明のケーブルテレビ受信機は、ＭＰＥＧシステムを使用して番組配列情報を有する地上ディジタル放送伝送チャンネルをＣＡＴＶ送信局により変換されて伝送路経由で送信されるＣＡＴＶ伝送チャンネルを受信するチューナと、所定の地上ディジタル放送伝送チャンネルに対応する上記ＣＡＴＶ伝送チャンネルの選局時に上記地上ディジタル放送伝送チャンネルの情報とＣＡＴＶ伝送チャンネルの情報とが対応付けられた変換テーブルを参照して上記チューナに選局させる制御部と、上記変換テーブルを保持するメモリと、上記チューナで選局された周波数情報からＭＰＥＧのトランスポートストリームに復号する伝送路復号器と、上記制御部の指示により上記ＭＰＥＧのトランスポートストリームから番組配列情報を上記制御部に出力するＭＰＥＧ分離器と、上記ＭＰＥＧのトランスポートストリームから映像信号と音声信号を復号するＭＰＥＧ復号器とを備え、上記制御部は、上記ＣＡＴＶ受信機のリモコンおよび上記ＣＡＴＶ受信機自体のスイッチの少なくとも一方を使用して上記変換テーブルの上記メモリへの保持を行ない、上記変換テーブルは、上記地上ディジタル放送波のオリジナルの地上ディジタル放送伝送チャンネルの周波数情報からそれに対応するＣＡＴＶ伝送チャンネルの周波数情報に周波数変換するための周波数変換テーブルであり、上記制御部による上記チューナの選局は、上記伝送路を通して上記ＣＡＴＶ送信局から送信されるＣＡＴＶ伝送チャンネルに含まれる番組配列情報のＮＩＴから上記周波数変換テーブルの周波数に基づき上記チューナに選局させることによってなされ、上記ＣＡＴＶ送信局は、上記受信された上記地上ディジタル放送波を分配または分岐する分配器と、上記分配器により分配または分岐された上記地上ディジタル放送伝送チャンネルをＣＡＴＶで放送するＣＡＴＶ伝送チャンネルに変換する複数の周波数変換器と、上記周波数変換器で変換されたＣＡＴＶ伝送チャンネルの放送信号周波数を多重化して上記伝送路に出力する混合器とを備えることを特徴とする。
【００２４】
そのため、チューナにＣＡＴＶ送信局から伝送路に出力される上記ＣＡＴＶ伝送チャンネルを入力し、選局時にＭＰＥＧ復号器から番組配列情報を取得し、この番組配列情報を基にして変換テ−ブルを参照し、ＣＡＴＶ伝送チャンネルの情報を基に制御部は変換テーブルを参照して地上ディジタル放送チャンネルの情報に対応するＣＡＴＶチャンネルの情報に基づき実際に選局すべきＣＡＴＶ伝送伝送チャンネルをチューナに選局させる。
チューナで選局されたＣＡＴＶ伝送チャンネルに含まれる番組配列情報を制御部によりＭＰＥＧ復号器に対して復号させるようにしたので、ＣＡＴＶ受信機側において、回路構成の変更と処理ソフトウァの変更が少なく、低コストで地上ディジタル放送波を多数の受像機で受信可能とすることができる。
【００２５】
【発明の実施の形態】
次に、この発明によるＣＡＴＶシステムの実施の形態について図面に基づき説明する。図１は、この発明によるＣＡＴＶシステムの第１実施の形態の構成を示すブロック図である。
ＣＡＴＶ送信局Ｔでは、図示しない受信アンテナで地上ディジタル放送波を受信するようにしている。
【００２６】
この地上ディジタル放送波に、ＭＰＥＧシステムを用いて、ディジタル信号の圧縮と符号化を行うとともに、多重化を行って地上ディジタル放送信号を送信する。
この地上ディジタル放送信号は上記のように、ＭＰＥＧシステムを使用しているが、このＭＰＥＧシステムでは、送信データに含まれる番組配列情報に記述された周波数情報を使用して番組の選択を行うようになっており、番組とその番組を構成するテーブルが複数含まれ、互いに関連を持って番組配列情報を構成している。この番組配列情報には、ＰＳＩとＳＩが含まれている。
ＰＳＩはＭＰＥＧ−ＴＳに含まれている番組とその番組の構成を表すテーブル情報であり、ＰＡＴ、ＣＡＴ、ＰＭＴ、ＮＩＴの４種類のテーブルが規定されている。
【００２７】
ＣＡＴＶ送信局Ｔにおいて、このような地上ディジタル放送波をアンテナで受信して分配器１に入力するようにしている。
分配器１に地上ディジタル放送波を入力することにより、分配器１で地上ディジタル放送波を分配または分岐した後に、複数個の周波数変換器２１〜２ｎに送出する。
周波数変換器２１〜２ｎでは、地上ディジタル放送波の伝送チャンネルをＣＡＴＶで放送する伝送チャンネルに変換し、混合器３で周波数多重して、たとえば、光ファイバなどの伝送路１０に出力する。
【００２８】
次に、受信機Ｒの構成について説明する。このＣＡＴＶシステムの第１実施の形態では、ＣＡＴＶ受信機Ｒでは、チューナ４で伝送路１０から入力した周波数多重された地上ディジタル放送信号が入力され、選局可能になっている。
この選局は制御部８の制御の基に行われる。制御部８はディジタルテレビ受信機（すなわち、ＣＡＴＶ受信機）のリモコンや、このディジタルテレビ受信機自身のスイッチなどの入力手段を使用して、チューナ４に入力された地上ディジタル放送信号でのオリジナル伝送チャンネルと、それに対応するＣＡＴＶでの伝送チャンネルの周波数情報をメモリ９に図３に示す、変換テーブルとして、たとえば、周波数変換テーブル１１として保持させておく。
【００２９】
この周波数変換テーブル１１は、図３に示すように、選局すべきチャンネル、たとえば「チャンネル１３」、「チャンネル１４」、……「チャンネルＮ」のそれぞれに対応して元の周波数、すなわち、地上ディジタル放送チャンネルのオリジナル伝送チャンネルの周波数ｆ１，ｆ２，……ｆＮとそれに対応するＣＡＴＶ伝送チャンネルの周波数ｆ１１，ｆ１２……ｆ１Ｎが記入されている。
【００３０】
制御部８の指示により、チューナ４で選局されたＣＡＴＶでの伝送チャンネルの周波数信号は伝送路復号器５に送出されるようになっている。
伝送路復号器５では入力信号、すなわち、ＣＡＴＶでの伝送チャンネルの周波数信号をＭＰＥＧのトランスポートストリームに復号してＭＰＥＧ分離器６に出力するようになっている。
【００３１】
ＭＰＥＧ分離器６では制御部８の指示により、ＭＰＥＧのトランスポートストリームから番組配列情報（ＰＡＴ／ＰＭＴ）を制御部８に出力するとともに、この符合化された映像、音声をＭＰＥＧ復号器７に出力するようになっている。
ＭＰＥＧ復号器７では、入力したＭＰＥＧトランスポートストリームから映像・音声信号を復号し、映像信号は表示回路１２へ送り出し、音声信号は音声出力回路１３に送出するように構成されている。
表示回路１３はブラウン管や液晶表示ディスプレイなどの表示手段１４を駆動して映像の表示を行う。
音声出力回路１３はスピーカやイヤホンなどの可聴音発生手段１５の駆動を行って可聴音を発生させる。
【００３２】
次に、以上のように構成されたこの発明によるＣＡＴＶシステムの第１実施の形態の動作について説明する。
このＣＡＴＶシステムの第１実施の形態の動作の説明を行うことにより、この発明によるＣＡＴＶ地上ディジタル波送受信装置、この発明によるＣＡＴＶ受像機の各第１実施の形態の動作の説明を兼ねることにする。
【００３３】
まず、ＣＡＴＶ送信局Ｔ側の動作から説明する。ＣＡＴＶ送信局Ｔでは、図示しない受信アンテナで地上ディジタル放送波を受信する。
ＣＡＴＶ送信局Ｔにおいて、このような地上ディジタル放送波をアンテナで受信して分配器１に入力することにより、分配器１で地上ディジタル放送波を分配または分岐した後に、複数個の周波数変換器２１〜２ｎに送出する。
周波数変換器２１〜２ｎでは、地上ディジタル放送伝送チャンネルをＣＡＴＶで放送する伝送チャンネルに変換し、混合器３で周波数多重して、伝送路１０に出力する。
【００３４】
次に、ＣＡＴＶ受信機Ｒの動作について説明する。ＣＡＴＶ受信機Ｒにおいては、あらかじめ制御部８により、ＣＡＴＶ受信機Ｒのリモコンや、このＣＡＴＶ受信機自身のスイッチなどを使用して、チューナ４に入力された地上ディジタル放送信号でのオリジナルの地上ディジタル放送伝送チャンネルと、それに対応するＣＡＴＶ伝送チャンネルの周波数情報をメモリ９に図３に示すように、周波数変換テーブル１１として保持させておく。
次に、ＣＡＴＶ受信機Ｒの選局時の動作について、図２のフローチャートに沿って説明する。この図２はＣＡＴＶ受信機Ｒの選局時の処理手順を示すフローチャートである。
【００３５】
ＣＡＴＶ受信機Ｒにおいて、まず新規選局作用にに先立ち、現在の受信状態からこの新規選局動作を行うまでのＣＡＴＶ受信機Ｒの動作から説明する。
この新規選局動作前の状態では、ＣＡＴＶ受信機Ｒの電源投入時あるいは前回の選局した状態にある。
この状態では、チューナ４に伝送路１０から入力されたＣＡＴＶ伝送チャンネルの放送信号が伝送路復号器５に送出され、この伝送路復号器５で入力信号をＭＰＥＧのトランスポートストリームに復号して、ＭＰＥＧ分離器６に出力する。
【００３６】
ＭＰＥＧ分離器６では、トランスポートストリームに含まれる番組配列情報のＰＡＴ／ＰＭＴを制御部８に送出する（ステップＡ１）。
ここから実質的に新規選局動作に移行し、制御部８は、このＰＡＴ／ＰＭＴを取得してトランスポートストリームがユーザ（ＣＡＴＶ受信機Ｒの視聴者）による受信希望のＣＡＴＶ伝送チャンネルのトランスポートストリームであるか、否かの判断を行う（ステップＡ２）。
この判断の結果、制御部８がトランスポートストリームに含まれる番組配列情報に対してユーザの希望するトランスポートストリームでないと判断すると、制御部８はＭＰＥＧ分離器６に対して、このトランスポートストリームに含まれる番組配列情報（ＮＩＴ）を要求してこのＮＩＴを制御部８に入力する（ステップＡ３）。
【００３７】
制御部８は、この取得したＮＩＴから選択すべき番組が現在受信しているＣＡＴＶ伝送チャンネルのトランスポートストリームであるか、否かのＣＡＴＶ伝送チャンネルの情報を取得する。
現在、選択すべき番組が現在受信しているＣＡＴＶ伝送チャンネルのトランスポートストリームでない場合であるから、この取得したＮＩＴ情報から選択すべきＣＡＴＶ伝送チャンネル情報（周波数情報）を得る（ステップＡ４）。
制御部８は、この取得したＣＡＴＶ伝送チャンネル情報を基に、メモリ９にあらかじめ保管されている周波数変換テーブル１１を参照して、実際に選局すべきＣＡＴＶ伝送チャンネル（周波数情報）の情報を得る。
【００３８】
この場合、たとえば、メモリ９に保持されている周波数変換テーブル１１の「チャンネル１３」を選局する場合には、「地上ディジタル放送信号でのオリジナルの地上ディジタル放送伝送チャンネルの周波数ｆ１」に対応する「ＣＡＴＶ伝送チャンネルの周波数ｆ１１」を指定することにより、チューナ４が地上ディジタル放送信号のオリジナルチャンネルの「チャンネル１３」を選局するように、制御部８は、このＣＡＴＶ伝送チャンネルの情報を基に、チューナ４に対して選局の指示を行い、チューナ４はＣＡＴＶ伝送チャンネルの移動、つまり選局を行う（ステップＡ６）。
この選局を行うことにより、チューナ４で選局されたＣＡＴＶ伝送チャンネルの周波数信号は伝送路復号器５に送出され、伝送路復号器５ではこの周波数信号をＭＰＥＧのトランスストリームに復号して、ＭＰＥＧ分離器６に出力する。
【００３９】
また、このとき、このＣＡＴＶ伝送チャンネルの移動により、新たに得られる番組配列情報（ＰＡＴ／ＰＭＴ）から現在受信しているＣＡＴＶ伝送チャンネルのトランスポートストリームから選択すべき番組が存在する場合、または上記ステップＡ２での、ＰＡＴ／ＰＭＴを取得してトランスポートストリームに含まれる番組配列情報に対してユーザの希望する番組がトランスポートストリームに含まれていると判断された場合には、制御部８はＭＰＥＧ分離器６に指示を与える。
これにより、制御部８はＭＰＥＧ分離器６から現在受信しているＣＡＴＶ伝送チャンネルのトランスポートストリームの番組配列情報（ＰＴ／ＰＭＴ）を取得する（ステップＡ７）。
【００４０】
制御部８は、この取得した番組配列情報（ＰＴ／ＰＭＴ）から選択した番組の番組要素のＩＤ（ＰＭＴやＮＩＴを伝送するトランスポートストリームパケットの識別子）を取得する。
制御部８は、この取得したＩＤをＭＰＥＧ分離器６に送り、ＭＰＥＧ分離器６はこのＩＤを基に選択番組の番組要素情報を選択してＭＰＥＧ復号器７に出力する（ステップＡ９）。
【００４１】
ＭＰＥＧ復号器７は受信した番組要素情報から映像信号・音声信号を復号して映像信号を表示回路１２へ出力する（ステップＡ１０）。
表示回路１２はこの映像信号を入力することにより、表示手段１４を駆動して、映像の表示を行う。
また、音声信号は音声出力回路１３に送出され、それによって音声出力回路１３はスピーカなどの可聴音発生手段１５を駆動して可聴音声を発生させる。
かくして、ケーブルテレビ受像機としての機能を呈することになる。
【００４２】
このように、ＣＡＴＶシステムによる第１実施の形態では、ＣＡＴＶ送信局Ｔで地上波ディジタル放送波を周波数変換して再送信する場合において、地上波ディジタル放送の番組情報に含まれる周波数情報を、ＣＡＴＶ送信局Ｔ側で変換することなく、家庭内に設置されるディジタルテレビ受信機などのＣＡＴＶ受信機Ｒ側のみで変換し、番組の選択を行えるようにしており、ＣＡＴＶ送信局Ｔ側での機器構成が簡単になる。
【００４３】
もし、ＣＡＴＶ送信局Ｔ側で番組配列情報を変更するとすれば、ＭＰＥＧのトランスポートストリームに復号した後でなければ操作できないため、ＣＡＴＶ送信局で受信信号をＲＦ信号からベースバンド信号に復調した後、伝送路復号を行い、番組配列情報の変更を行った後、再び伝送路符号化、変調を施して伝送路に出力するという操作が必要になり、ＣＡＴＶ送信局Ｔ側の機器構成が複雑になり、ひいては、コストアップを招来するのは必定であるが、この第１実施の形態では、これを解決することができる。
【００４４】
なお、上記周波数変換テーブル１１は、フレキシブルに書換えを行う必要があるために、記憶装置、たとえば、半導体メモリ、ハードディスクなどの記録媒体上に展開する。
また、周波数変換テーブル１１に関しては、上記ＣＡＴＶシステムの第１実施の形態においては、メモリ９上に周波数変換テーブル１１を持ち、番組の選択時にＮＩＴ情報を参照して、そのＮＩＴ情報内の周波数を周波数変換テーブル１１にしたがい地上ディジタル放送波の伝送チャンネルをＣＡＴＶで放送するＣＡＴＶ伝送チャンネルに読み替えてチューニングする場合（周波数変換テーブル１１のたとえば、チャンネル１３を選択する場合には、周波数ｆ１に対応する周波数ｆ１１を選択する）を示しているが、この番組選択時にＮＩＴ内の周波数情報を無視して、番組番号をキーに直接周波数変換する選択手段として、番組選択を行う方法も考えられる。
【００４５】
すなわち、ＣＡＴＶ受像機では、元々切替スピードを少しでも速めるために、ＮＩＴに含まれる番組番号とその周波数をテーブルとして備えておき（デフォルトはＮＩＴの値を書き込み、設定指示があれば、その値に置きかえる）、番号選択時にその都度ＮＩＴを参照することなく、指定された番組番号と周波数の関係からチューニングする方法もある。
このとき、この周波数変換テーブルの周波数情報をＣＡＴＶ伝送用の周波数情報に書き換えておき、番組選択時に番組番号をこの周波数情報に変換するという方法もある。
【００４６】
また、上記周波数変換テーブル１１に代わるテーブルとして、図５に示すようなテーブル２０を使用することもできる。
このテーブル２０適用例として、たとえば地上ディジタル放送の場合などである。地上ディジタル放送では、ＵＨＦ周波数帯域を使用するが、このにおける１キャリア中にＳＤＴＶ３番組／ＨＤＴＶ１番組などのように、複数番組の放送が可能である。
この複数の番組がＣＡＴＶ送信局側から伝送路を経由してＣＡＴＶ受信機側で受信する場合に、各番組ごとに認識する必要がある。
【００４７】
そこで、図５に示すように、各番組ごとに認識可能な番組ＩＤを設け、この番組ＩＤを基にテーブルを展開するようにすることもできる。
この図５に示すように、番組ＩＤとして、各番組ごとに番組番号を対応させた複数の番組ＩＤ１〜ＩＤｎを設け、この番組ＩＤ１〜ＩＤｎに対応する番組の放送周波数ｆ１〜ｆｎに変換させたテーブル２０を形成するようにしても良い。
このようなテーブル２０を用いる場合には、ＣＡＴＶ受信機側において、上記第１実施の形態の場合と同様に、ＭＰＥＧ分離器から出力される番組番号を制御部が番組ＩＤ１〜ＩＤｎで認識し、番組ＩＤ１〜ＩＤｎに対応して変換された番組放送周波数ｆ１〜ｆｎに基づき、制御部はチューナに対して選局を行わせるようにすることもできる。
【００４８】
また、上記第１実施の形態におけるＣＡＴＶ送信局Ｔの機能を次に述べる二つの方法にも適用することができる。この二つの方法のうちの第１の方法は、４００ＭＨｚ以上のＵＨＦ周波数帯の地上放送波チャンネルのうちの所定の空きチャンネルを利用してＣＡＴＶ伝送チャンネルの信号を伝送路に伝送する方法である。
【００４９】
このうちの第１の方法は、図４のブロック図に示すように、アンテナ２１で受信された地上放送波チャンネルをチューナ２２に入力して、複数の番組情報を含む放送送信をＭＰＥＧデマルチプレク２３に入力することにより、フィルタリング機能により１つの番組情報の放送信号を抽出して、ＭＰＥＧマルチプレクサ２４に送出する。
ＭＰＥＧマルチプレクサ２４には、ＰＳＩ発生器２５から周波数情報としてＰＳＩ信号が入力され、このＰＳＩ信号と多重化して、変調器２６で変調した後、上記のようにＵＨＦ帯の周波数の空きチャネルの周波数で図示しない伝送路からＣＡＴＶ伝送チャンネルをＣＡＴＶ受信機側に送信するようにしている。
【００５０】
一方、第２の方法は、ＵＨＦ帯の周波数の空きチャネルの周波数に地上放送波チャンネルのキャリア周波数のみを変換する方法である。
この第２の方法では、図示しないアンテナで受信された地上放送波チャンネルの放送信号をキャリアコンバータに入力して、地上放送波チャンネルのキャリアの周波数のみをＵＨＦ帯の周波数の空きチャネルの周波数に周波数変換した後に、図示しない伝送路に送出するようにしたものである。
【００５１】
【発明の効果】
以上説明したように、この発明のＣＡＴＶシステムによれば、地上ディジタル放送波をＣＡＴＶにより再送信する場合に、ＣＡＴＶ送信局側で番組配列情報に含まれる番組選択のための周波数情報の変更が不要となり、ＣＡＴＶ受像機側のみ変更で済ませることができ、送信局での機器構成が簡単にでき、かつ、ＣＡＴＶ受像機側での回路の増加がなく、処理ソフトウェアの増加も極わずかで済み、システムにおけるコストインパクトが殆ど無いという効果を奏する。
【００５４】
さらに、この発明のＣＡＴＶ地上ディジタル送受信装置によれば、地上ディジタル放送波をＣＡＴＶ送信局により再送信時に番組配列情報に含まれる番組選択のための周数情報を変更する必要がなく、送信側でのコストダウンを可能にし、ＣＡＴＶ受信装置では回路変更がなく、処理ソフトウェアも少なくすることができる。
【００５５】
この発明のケーブルテレビ受像機によれば、ＣＡＴＶの受信側において、回路構成の変更と処理ソフトウァの変更が少なく、低コストで地上ディジタル放送波を多数の受像機で受信可能とすることができる。
【図面の簡単な説明】
【図１】この発明によるＣＡＴＶシステムの第１実施の形態の構成を示すブロック図である。
【図２】図１の番組の選択方式における受信機側の動作の流れを説明するためのフローチャートである。
【図３】この発明によるＣＡＴＶシステムの第１実施の形態に適用される周波数変換テーブルの説明図である。
【図４】この発明によるＣＡＴＶシステムにおけるＣＡＴＶ送信局の第２実施の形態のの構成を示すブロック図である。
【図５】この発明によるＣＡＴＶシステムに適用される変換テーブルの別の例を示す説明図である。
【符号の説明】
１……分配器、２１〜２ｎ……周波数変換器、３……混合器、４，２２……チューナ、５……伝送路複号器、６……ＭＰＥＧ分離器、７……ＭＰＥＧ複号器、８……制御部、９……メモリ、１０……伝送路、１１……周波数変換テーブル、１２……表示回路、１３音声出力回路、１４……表示手段、１５……可聴音発生手段、２０……変換テーブル、２１……アンテナ、２３……ＭＰＥＧデマルチプレクサ、２４……ＭＰＥＧマルチプレクサ、２５……ＰＳＩ発生器、２６……変調器、Ｒ……ＣＡＴＶ受信機、Ｔ……ＣＡＴＶ送信局。
【図１】
0003757086.tif 000002
【図２】
0003757086.tif 000003
【図３】
0003757086.tif 000004
【図４】
0003757086.tif 000005
【図５】
0003757086.tif 000006